(57)【要約】【課題】建物や、電車用の物体間に生じる段差に掛け渡して使用する携帯用スロープに関し、軽量で、スロープ自体の可搬性にも優れており、さらには、運搬する距離が変動しても対応できるフレキシビリティー性にも優れた携帯用スロープ及びその製造方法を提供することを目的とする。【解決手段】物体間に生じる段差に掛け渡して車椅子を走行させるために使用される携帯用スロープであって、前記携帯用スロープは、前記車椅子が走行可能な所定厚みの板材を含み、前記板材は、前記板材と垂直な面で少なくとも２つに分割可能とする接続部を有することを特徴とする携帯用スロープ。【選択図】図１
2016067518.tif 000002
【特許請求の範囲】
【請求項１】
段差に掛け渡して車椅子を走行させるために使用される携帯用スロープであって、前記携帯用スロープは、前記車椅子が走行可能な板材を含み、前記板材は、前記板材と垂直な面で前記板材を少なくとも２つに分割可能な接続部を有することを特徴とする携帯用スロープ。
【請求項２】
前記板材は中空部を有することを特徴とする請求項１記載の携帯用スロープ。
【請求項３】
前記接続部は、前記中空部に挿入可能に形成されていることを特徴とする請求項２記載の携帯用スロープ。
【請求項４】
前記板材が少なくとも繊維強化プラスチックを含むことを特徴とする請求項１〜３記載の携帯用スロープ。
【請求項５】
前記板材の側端面に脱輪防止壁を有することを特徴とする請求項１〜４記載の携帯用スロープ。
【請求項６】
前記板材及び前記脱輪防止壁は一体成形されていることを特徴とする請求項５記載の携帯用スロープ。
【発明の詳細な説明】
【技術分野】
【０００１】
本発明は、物体間に生じる段差に掛け渡して使用する携帯用スロープに関し、軽量で、スロープ自体の可搬性に優れており、さらには、運搬する距離が変動しても対応できるフレキシビリティー性にも優れた携帯用スロープに関する。
【背景技術】
【０００２】
近年、公共施設等ではバリアフリー対策としてエレベータやエスカレータが設置され、また、階段にはその傍らに迂回路としてスロープが作られている場合もあり、車椅子での通行が容易に行えるようになっている。しかし、いまだ公共施設やビルディング等の建造物の内外において、多くの段差が存在している。こうした段差は、通常人であれば容易に超えることが出来るが、車椅子使用者や老人にとっては、乗り越えるのが困難な場合がある。
【０００３】
バリアフリーの社会インフラ整備が進んでも、未だ整備されていない段差は数多く存在し、たとえば、歩道と車道との段差、バスの乗降口と道路との段差、道路に作られた溝、電車に乗降する際の車両とホームとの段差や溝が車椅子の通行に支障を来している。
【０００４】
多数の段差が存在するという状況は、公共の空間や交通機関のみならず、車椅子使用者や老人の居住する個人住居の内外でも同様である。
【０００５】
最近、可搬型の携帯用スロープを用い、必要な時のみ設置して使用することを可能とし、例えば、車椅子をホームから電車の車内に移動させる際や電車の乗降口からホームに移動させる際、あるいは、車椅子を道路からバスの車内に移動させる際やバスの乗降口から道路に移動させる際、ホームと電車の車内とに架け渡す渡し板や道路とバスの車内とに架け渡す渡し板が利用される場合がある。
【０００６】
これらのスロープは、可搬型であることを前提とするため、軽量で運搬しやすいことが望ましく、このため、金属製や木製のスロープよりも、樹脂製のスロープ、特に軽量である上に耐荷重性能に優れた繊維強化プラスチック製のものが開示されている(例えば特許文献１)。
【０００７】
また、可搬型の携帯用スロープは、運搬距離の長い状況や間口の幅が異なる場合があり、使用態様に合わせたフレキシビリティー性が必要である。
【０００８】
また、収納性も重要な要素であり、狭い車内等に収納する場合があり、コンパクト性が要求される。
【０００９】
特許文献１（特開２０１３−１６２８１８号公報）では、「発泡性樹脂からなる方形の芯材の表裏両面に、繊維強化プラスチック（ＦＲＰ：Ｆｉｂｅｒ  Ｒｅｉｎｆｏｒｃｅ  Ｐｌａｓｔｉｃ）製の板材を接着した少なくとも２枚以上の合板からなり、合板は、通行方向上下端それぞれに合板自身の段差を解消するためのテーパ構造４，５を有し、通行方向に対する外側面を枠部材９によって嵌合させた構造を有し、２枚以上の合板を、通行方向に対して並列させ、合板の対向側面をシート材６によって連結させ、合板が互いに重なり合うように折り畳み」する構成が記載され、「軽量で持ち運びが容易であり、加工性が良く最適なサイズを容易かつ安価に製造でき、固定性能に秀で、スロープ縁部及び脱輪防止壁の高い耐衝撃性能により破損が生じにくく、優れた補修性能を有する」効果が開示されている。そのスロープは、硬質ウレタン、ポリプロピレン又はアクリル等の発泡性樹脂からなる芯材の表裏両面に炭素繊維強化プラスチックを接着した合板の構成である。
【００１０】
しかし、特許文献１の構成では、合板は発泡性樹脂の表裏両面に炭素繊維強化プラスチックを強固に接着した積層構成であり、積層構成体の製造工程に複数の工程を踏む必要があることから製造コスト的な課題がある。また、運搬する距離が異なる段差に対しては対応する長さのスロープを別途用意する必要があり、フレキシビリティー性に難がある。
【００１１】
また、特許文献２（特開２００２−８７１６４号公報）では、「車椅子等の出し入れを可能にするスロープ装置において、前記スロープを構成するフロア部材を前記スロープの展開方向に交差する方向に複数個に分割し、隣り合う前記フロア部材の互いに対向する端面に、互いに係合可能な係合部を一体的に設けた」構成が記載され、隣り合うフロア部材が係合部により鉛直方向に互いに係合することで、複数のフロア部材でスロープ上の荷重を受けることができ、フロア部材の剛性の低下を招くことなく、スロープの展開・収納時の操作をスムーズにでき、別部材によるフロア部材の補強も必要ない効果が開示されている。
【００１２】
しかし、特許文献２の構成では、両側面に設けられる脱輪防止壁はスロープのフロア部材と溶接又はビス止めにより固定した構成であり、複数の工程を踏む必要があることから製造コスト的な課題がある。また、脱輪防止壁となる所定の長さのサイドレールを溶接又はビス止めにより固定しているため、運搬する距離が異なる段差に対しては対応する長さのスロープを複数用意する必要があり、フレキシビリティー性に難がある。
【００１３】
また、特許文献３（特開２００４−６０２８７号公報）では、「段差における上段の路面と下段の路面に、左側スロープ板と右側スロープ板を車椅子等の車幅に合わせた間隔をおいて平行に設置して架け渡されるスロープであって、前記左側スロープ板及び前記右側スロープ板には、それぞれ外側部材と、該外側部材に伸縮自在に内挿される内側部材が備えられており、前期内側部材が前記外側部材に収納された状態で、前記左側スロープ板を前記右側スロープ板に、それぞれの表面が対向するように重ねて取付けできるように、前記外側部材には取付け部材が設けられ、前期内側部材は中空部を有したアルミニウム合金押出形材からなる」構成が記載され、左側スロープ板を右側スロープ板に重ねて取付けることで、２枚のスロープ板を一体化でき、剛性低下を招くことなく軽量化することでスロープの携帯性を向上させる効果が開示されている。
【００１４】
しかし、特許文献３の構成では、スライド伸縮式スロープとすることにより取り回しは改善されているが、単にスロープ板を縮めて携帯しているだけであり、軽量化に対しては改善の余地がある。
【先行技術文献】
【特許文献】
【００１５】
【特許文献１】特開２０１３−１６２８１８号公報
【特許文献２】特開２００２−０８７１６４号公報
【特許文献３】特開２００４−０６０２８７号公報
【発明の概要】
【発明が解決しようとする課題】
【００１６】
本発明は、かかる従来技術の問題点に鑑み、物体間に生じる段差に掛け渡して使用する携帯用スロープに関し、軽量で、スロープ自体の可搬性にも優れており、さらには、運搬する距離が変動しても対応できるフレキシビリティー性にも優れた携帯用スロープを提供することを目的とする。
【課題を解決するための手段】
【００１７】
（１）段差に掛け渡して車椅子を走行させるために使用される携帯用スロープであって、前記携帯用スロープは、前記車椅子が走行可能な板材を含み、前記板材は、前記板材と垂直な面で前記板材を少なくとも２つに分割可能な接続部を有することを特徴とする携帯用スロープ。
（２）前記板材は中空部を有することを特徴とする（１）記載の携帯用スロープ。
（３）前記接続部は、前記中空部に挿入可能に形成されていることを特徴とする（２）記載の携帯用スロープ。
（４）前記板材が少なくとも繊維強化プラスチックを含むことを特徴とする（１）〜（３）記載の携帯用スロープ。
（５）前記板材の側端面に脱輪防止壁を有することを特徴とする（１）〜（４）記載の携帯用スロープ。
（６）前記板材及び前記脱輪防止壁は一体成形されていることを特徴とする（５）記載の携帯用スロープ。
【発明の効果】
【００１８】
上述した携帯用スロープ及びその製造方法によれば、物体間に生じる段差に掛け渡して使用する携帯用スロープに関し、軽量で、かつスロープ自体の可搬性にも優れており、さらには、運搬する距離が変動しても対応できるフレキシビリティー性にも優れた携帯用スロープを得ることができる。
【図面の簡単な説明】
【００１９】
【図１】本発明にかかる携帯用スロープの実施の形態を示した平面斜視図
【図２】図１に示すスロープ１の長手方向と垂直なＡ−Ａ線断面図
【図３】図１に示すスロープ１が接続部で２つに分割された状態を示した平面斜視図
【図４】図３に示すスロープ１の幅方向と垂直なＢ−Ｂ線断面図の一例
【図５】図３に示すスロープ１の幅方向と垂直なＢ−Ｂ線断面図の一例
【図６】複数の板材を長手方向に対して並列させて板材の対向側面を連結させた平面斜視図
【発明を実施するための形態】
【００２０】
以下、本発明について図面を用いながら説明する。なお、本発明は図面によって何ら制限されるものではない。
【００２１】
前記課題を解決するためになされた本発明の構成は、少なくとも車椅子が走行可能な所定厚みの板材を含み、前記板材は、前記板材と垂直な面で少なくとも２つに分割可能とする接続部を有することを特徴とする携帯用スロープの構成である。
【００２２】
本発明によれば、少なくとも車椅子が走行可能な所定厚みの板材を含み、前記板材は、前記板材と垂直な面で少なくとも２つに分割可能とする接続部を有することを特徴とする携帯用スロープを基本構成とすることにより、例えば、車椅子を運搬する距離が変動しても対応できるフレキシビリティー性に優れ、狭い車内等に収納することが可能なコンパクト性を確保することが可能となる。
【００２３】
また、本発明において、板材と垂直な断面形状が中空部を有することが好ましく、前記中空部に前記接続部が配置されていることが好ましい。本発明の構成により、スロープ自体を軽量にすることで、可搬性に優れ、接続部を中空部に配置することで更にコンパクトにすることが可能である。
【００２４】
図１に、本発明にかかる携帯用スロープ（以下、単に「スロープ」ということがある。）の平面斜視図を示す。
【００２５】
１は携帯用スロープを示し、２は車椅子等が通行するスロープ部を構成する板材を示す。携帯用スロープ１は、階段などの高さが異なる段差に掛け渡されて使用され、スロープ１の上端側３及び下端側４には車椅子の乗降を容易にするため一定の傾斜を持つように、それぞれテーパ状で形成されることが好ましい。また、スロープ１の乗降口と段差との接触位置には適宜滑り止めのゴム部材が固着させることも好ましい。５はスロープ１の両側端部に配置される脱輪防止壁を示す。スロープ１の左右両側面に脱輪防止壁５を設置することにより、車両の転落が防止できる。なお、脱輪防止壁５は、必ずしもスロープ１の全長に亘って形成される必要はなく、スロープ１の上端側３や下端側４では形成されなくても良い。脱輪防止壁５の設置方法としては、たとえば板材２と一体に成形する方法、または板材２を成形したあと、脱輪防止壁を板材側端面に接着する方法がある。なかでも板材２と脱輪防止壁５とを一体に成形する方法が好ましい。この場合には脱輪防止壁を取り付ける工程を省くことができることから、製造コストを低減させることが出来る。また、板材２と脱輪防止壁５とが一体に成形されていることから、脱輪防止壁がより折れにくくなる。
【００２６】
次に、図２に、図１に示すスロープ１のＡ−Ａ断面図を示す。図２において、板材２の上面を車椅子等が移動する図となっている。６は板材と垂直な断面に形成される中空部を示す。
【００２７】
図３に、図１に示すスロープ１を接続部７で２つに分割した状態を示す。接続部７は中空部６に配置されることが好ましい。接続部７をスロープ１に内包することで、スロープ１自体のコンパクト性を維持することが出来る。
【００２８】
また、図４及び図５に、図３に示すスロープ１のＢ−Ｂ断面図の一例を示す。本発明において、接続部７は図４のように直線的な形状でも良いし、図５のようにテーパ形状を有していても良い。直線形状である場合には中空部６を雌側として利用することにより部品点数の削減によるコストダウンを図ることが可能であるし、テーパ形状とする場合には、スロープ１の組立及び分割がより容易となる効果がある。
【００２９】
板材は軽量化の観点から繊維強化プラスチックから形成されることが好ましい。強化繊維として比強度、比剛性に優れる炭素繊維を用いた炭素繊維強化プラスチックとすることがより好ましい。また、炭素繊維強化プラスチックの重量繊維含有率が１５〜８０重量％の範囲であることが好ましい。含有量が１５重量％未満であると、耐荷重性や剛性が失われ所望の機能を果たすことができない。重量含有量が８０重量％を超えると、前記繊維強化樹脂中にボイドが発生する問題が生じやすくなり、成形が困難となる。
【００３０】
板材を形成する炭素繊維強化プラスチックが連続した炭素繊維ことが好ましく、炭素繊維はスロープの掛け渡し方向である長手方向にほぼ平行、あるいは長手方向に対してほぼ直角方向に配列され得る。また、これらの配列を組合せた場合には、スロープ全体としての曲げ強度、耐面圧力が向上する。
【００３１】
以上のスロープは１枚板として使用する状況で説明をしてきたが、スロープは持ち運びの便宜上から少なくともそれぞれ第１の補強部を具備した２つの板材（例えば板材Ａ及び板材Ｂ）の表面同士が対向して折り畳めるように２枚以上の板材を連結させる構成を取ることも好ましい。
【００３２】
図６に、複数の板材（例えば板材Ａ及び板材Ｂ）の表面どうしが対向するように２枚の板材を、通行方向に対して並列させ、板材の対向側面をシート材や蝶番によって連結させた平面斜視図を示す。８はシート材や蝶番によって連結された連結箇所を示す。図中２ａ、２ｂはそれぞれ板材Ａ、板材Ｂを示す。
【産業上の利用可能性】
【００３３】
本発明は、物体間に生じる段差に掛け渡して使用する携帯用スロープに関し、軽量で、かつスロープ自体の可搬性にも優れており、さらには、運搬する距離が変動しても対応できるフレキシビリティー性にも優れた携帯用スロープを得ることができる。
【符号の説明】
【００３４】
１  スロープ
２，２ａ，２ｂ  板材
３  スロープ１の上端側
４  スロープ１の下端側
５  脱輪防止壁
６  中空部
７  接続部
８  連結箇所 
【図１】
2016067518.tif 000003
【図２】
2016067518.tif 000004
【図３】
2016067518.tif 000005
【図４】
2016067518.tif 000006
【図５】
2016067518.tif 000007
【図６】
2016067518.tif 000008